(57)【特許請求の範囲】
【請求項１】
液体容器の容器口に装着させる装着手段を備えたケース体と、ケース体外からの押圧、その解除によってケース体内外でスライドする押下スイッチによってケース体内部で弾撥的にスライドするスライド部を備えた操作機構と、スライド部の往復スライドに伴い液体容器内の所定量の液体を吸い上げる吸上パイプを備えた吸上機構と、スライド部に形成した案内路を経て吸上パイプに連通していて、ケース体外に突出している噴霧ノズルを備えた噴霧機構と、スライド部の往復スライド作用を回転作用に変換する作動変換手段を介して、噴霧ノズルを軸として回転される送風ファンを備えた送風機構とから成ることを特徴とする化粧液等の液体用噴霧供給装置。
【請求項２】
作動変換手段は、押下スイッチの押し下げによって揺動し、自身の軸支位置が前後にスライドする揺動歯車と、この揺動歯車の下方への揺動時では噛み合わさせ、揺動歯車の上方への復帰時では噛み合いを解除させる規制手段によって一定方向に回転される駆動回転歯車と、この駆動回転歯車に噛み合って従動回転される従動回転歯車とから成る請求項１に記載の化粧液等の液体用噴霧供給装置。
【請求項３】
揺動歯車は、湾曲している側縁に歯車が形成されていて、側面から見てほぼ扇形状を呈する歯車本体の後部に、ケース体内の後部に設けた揺動軸受部に前後にスライド自在に係合する揺動軸支ピン材を突設形成し、同じく歯車本体のほぼ中央部に、操作機構における押下スイッチのスライド部に突設してある上下動ピンに係合するよう歯車本体の後方から前方に至るに伴い側面から見て上方に向けられている係合孔を開口形成し、同じく歯車本体の前部に、規制手段に係合する規制案内ピンを設けて成る請求項２に記載の化粧液等の液体用噴霧供給装置。
【請求項４】
規制手段は、ケース体の前方側に対して側面から見て突状に湾曲した溝状に形成されており、駆動回転歯車に噛み合った状態で揺動歯車が揺動軸受部を支点としてケース体の前方側に位置して揺動するときの規制案内ピンの湾曲した揺動軌跡に沿った噛み合い湾曲溝縁と、駆動回転歯車とは噛み合いが解除された状態で揺動歯車が揺動軸受部を支点としてケース体の後方側に位置して揺動するときの規制案内ピンの湾曲した揺動軌跡に沿った自由湾曲溝縁とが区画突条によって前後に区画されていると共に、噛み合い湾曲溝縁から自由湾曲溝縁に連続させる復帰溝縁を下端部に、また自由湾曲溝縁から噛み合い湾曲溝縁に連続させる案内溝縁を上端部に夫々形成して噛み合い湾曲溝縁、復帰溝縁、自由湾曲溝縁、案内溝縁更に噛み合い湾曲溝縁に再び連続するループ状に形成してある請求項２または３に記載の化粧液等の液体用噴霧供給装置。
【請求項５】
送風ファンは、内部に噴霧ノズルが挿通された状態で、ケース体の前側壁に形成した支承口に嵌め合わせられるよう小径にした軸部を形成し、この軸部の後部であるケース体内方側に大径にしたフライホイール取付部と、駆動回転歯車に噛み合う従動回転歯車とを設けると共に、軸部の前部であるケース体外方側に噴霧ノズル前端に設けた軸受部を介してファン体を設けて成る請求項１乃至４のいずれかに記載の化粧液等の液体用噴霧供給装置。
【請求項６】
ファン体は、前方が開放されていることで形成される開放辺縁に、送風角度に対応して凹状に湾曲される複数のファン角度設定凹辺を適宜間隔毎に側面から見て全体としてほぼ波形を呈するように設けて、軸部の前部に形成した筒状の支持枠と、同じくファン角度設定凹辺の形状に対応した突条に湾曲される複数のファン角度設定突辺を開放辺縁に設けて、ほぼキャップ状に形成した閉塞枠と、これらの支持枠のファン角度設定凹辺、閉塞枠のファン角度設定突辺夫々によって挟着される複数の羽根片を備え、支持枠、閉塞枠相互間に固定される薄板状の羽根板とを備えて成る請求項５に記載の化粧液等の液体用噴霧供給装置。
【発明の詳細な説明】
【０００１】
【発明の属する技術分野】
本発明は、例えば身体、顔面その他に保湿、清涼等のための化粧水、薬液等を噴霧するに際し、細かい霧状にして確実に付着できるようにし、また特別な動力を要せずに手動操作で簡単に取り扱えるようにした化粧液等の液体用噴霧供給装置に関するものである。
【０００２】
【従来の技術】
従来から例えば女性の洗顔、美容等に際し、各種の化粧水、香水更には所定の薬液等を細かい霧状にして噴霧し、付着させることで皮膚表面の保湿作用、芳香作用、皮膚からの浸透による薬理作用等が得られるようにしている。そのための従来の噴霧器は、例えば容器本体の容器口に、容器本体内に吸上パイプが挿入される吸上・噴霧機構（ポンプアップ機構）を付設し、この吸上・噴霧機構のスライドボタンを上下動させることで、その上下動の勢いをも利用して容器本体内の所定の液体等を勢いよく噴射させるものとしているのである。
【０００３】
【発明が解決しようとする課題】
ところがこうした従来の噴霧器によれば、顔面、身体その他の被噴霧付着面に液体等を確実に付着させるにはスライドボタンを勢いよく操作し、またかなりな程度に噴射ノズル先端を被噴霧付着面に近接させなければならないものである。更には噴霧後に手で扇いだり、場合によっては例えば液体等を染み込ませたパフ布によって直接に擦り込むようにしたりしても、斑になって均一な噴霧付着状態にはならないことが多いものであった。
【０００４】
そればかりでなく、動力機構によるファン回転によって付着させるとすると、その動力ファンが例えば家庭用の小型の扇風機であったとしても噴霧範囲がかえって拡散してしまい、噴霧範囲が局所的に制限されている場合には無駄が多いものである。更にはファン動力機構が組み込まれている噴霧器を使用する場合には、その噴霧器への所定液体等の移し替えが必要であり、またその噴霧器自体も必然的に大型化することになるから、それの取扱いが面倒なものとならざるを得ないものであった。
【０００５】
そこで本発明は叙上のような従来存した諸事情に鑑み創出されたもので、例えば所定の液状の化粧品等が収容されている容器の容器口に装着するだけで、その液状化粧品を噴霧状に顔面その他の被噴霧付着面にほぼ均一に噴霧付着でき、しかもその押下スイッチに対する繰り返しの押し下げ操作のみで適宜に駆動される送風ファンの送風作用で液状化粧品等を満遍なく噴霧でき、小型、手動式で取扱いも容易であり、例えば保温効果、清涼効果等がある化粧液、薬液等による保湿作用、芳香作用、薬理作用等が得られ、またその送風効果によって気化作用を促進させることで皮膚熱等の速やかな除去、解消をも図れるようにした化粧液等の液体用噴霧供給装置を提供することを目的とする。
【０００６】
【課題を解決するための手段】
上述した目的を達成するため、本発明にあっては、所定の液体容器Ｂの容器口に装着され、押下スイッチ１１の押し下げ操作で液体容器Ｂ内の液体を吸い上げ、噴霧ノズル３１先端から液体を霧状に噴出させる化粧液等の液体用噴霧供給装置において、押下スイッチ１１の押し下げに連動して従動回転され、上記の霧状の液体を被噴霧付着面に送風する送風ファン６１を備えた送風機構４０を付設してあるものである。
より具体的には、液体容器Ｂの容器口に装着させる装着手段５を備えたケース体１と、ケース体１外からの押圧、その解除によってケース体１内外でスライドする押下スイッチ１１によってケース体１内部で弾撥的にスライドするスライド部１４を備えた操作機構１０と、スライド部１４の往復スライドに伴い液体容器Ｂ内の所定量の液体を吸い上げる吸上パイプ２３を備えた吸上機構２０と、スライド部１４に形成した案内路１５を経て吸上パイプ２３に連通していて、ケース体１外に突出している噴霧ノズル３１を備えた噴霧機構３０と、スライド部１４の往復スライド作用を回転作用に変換する作動変換手段５０を介して、噴霧ノズル３１を軸として回転される送風ファン６１を備えた送風機構４０とから成るものである。
作動変換手段５０は、押下スイッチ１１の押し下げによって揺動し、自身の軸支位置が前後にスライドする例えばほぼ扇形状の揺動歯車４１と、この揺動歯車４１の下方への揺動時では噛み合わさせ、揺動歯車４１の上方への復帰時では噛み合いを解除させる規制手段５１によって一定方向に回転される例えばほぼクラウン状の駆動回転歯車５５と、この駆動回転歯車５５に噛み合って従動回転される従動回転歯車５６とから成る。
また揺動歯車４１は、湾曲している側縁に歯車が形成されていて、側面から見てほぼ扇形状を呈する歯車本体の後部に、ケース体１内の後部に設けた揺動軸受部４２に前後にスライド自在に係合する揺動軸支ピン材４４を突設形成し、同じく歯車本体のほぼ中央部に、操作機構１０における押下スイッチ１１のスライド部１４に突設してある上下動ピン４５に係合するよう歯車本体の後方から前方に至るに伴い側面から見て上方に向けられている係合孔４６を開口形成し、同じく歯車本体の前部に、規制手段５１に係合する規制案内ピン４７を設けて成る。
規制手段５１は、ケース体１の前方側に対して側面から見て突状に湾曲した溝状に形成されており、駆動回転歯車５５に噛み合った状態で揺動歯車４１が揺動軸受部４２を支点としてケース体１の前方側に位置して揺動するときの規制案内ピン４７の湾曲した揺動軌跡に沿った噛み合い湾曲溝縁５１Ａと、駆動回転歯車５５とは噛み合いが解除された状態で揺動歯車４１が揺動軸受部４２を支点としてケース体１の後方側に位置して揺動するときの規制案内ピン４７の湾曲した揺動軌跡に沿った自由湾曲溝縁５１Ｃとが区画突条５１Ｅによって前後に区画されていると共に、噛み合い湾曲溝縁５１Ａから自由湾曲溝縁５１Ｃに連続させる復帰溝縁５１Ｂを下端部に、また自由湾曲溝縁５１Ｃから噛み合い湾曲溝縁５１Ａに連続させる案内溝縁５１Ｄを上端部に夫々形成して噛み合い湾曲溝縁５１Ａ、復帰溝縁５１Ｂ、自由湾曲溝縁５１Ｃ、案内溝縁５１Ｄ更に噛み合い湾曲溝縁５１Ａに再び連続するループ状に形成してある。
送風ファン６１は、内部に噴霧ノズル３１が挿通された状態で、ケース体１の前側壁に形成した支承口２に嵌め合わせられるよう小径にした軸部６２を形成し、この軸部６２の後部であるケース体１内方側に大径にしたフライホイール取付部６３と、駆動回転歯車５５に噛み合う従動回転歯車５６とを設けると共に、軸部６２の前部であるケース体１外方側に噴霧ノズル３１前端に設けた軸受部６４を介してファン体６５を設けて構成できる。
ファン体６５は、前方が開放されていることで形成される開放辺縁に、送風角度に対応して凹状に湾曲される複数のファン角度設定凹辺６７を適宜間隔毎に側面から見て全体としてほぼ波形を呈するように設けて、軸部６２の前部に形成した筒状の支持枠６６と、同じくファン角度設定凹辺６７の形状に対応した突条に湾曲される複数のファン角度設定突辺６９を開放辺縁に設けて、ほぼキャップ状に形成した閉塞枠６８と、これらの支持枠６６のファン角度設定凹辺６７、閉塞枠６８のファン角度設定突辺６９夫々によって挟着される複数の羽根片７２を備え、支持枠６６、閉塞枠６８相互間に固定される薄板状の羽根板７１とを備えて成る。
【０００７】
以上のように構成された本発明に係る化粧液等の液体用噴霧供給装置において、操作機構１０の押下スイッチ１１の押し下げ、その解除は、吸上機構２０では所定の液体を液体容器Ｂから吸い上げ（ポンプアップ）、噴霧機構３０ではその液体を霧状に噴霧ノズル３１から噴射し、送風機構４０では噴射された霧状の液体を使用者の顔面その他の被噴霧付着面に送風し、均一に付着させる。
押下スイッチ１１に対する押し下げ操作及びその解除は、押し下げ時に付与した弾撥力の復原作用で押下スイッチ１１を原位置に上昇復帰させ、その間に、吸上機構２０、噴霧機構３０夫々で吸上パイプ２３によって所定量ずつの液体を吸い上げ、噴霧ノズル３１によって霧状に噴出させ、これを繰り返えさせる。
また押下スイッチ１１に対する押し下げ操作及びその解除は送風機構４０をも作動させ、押下スイッチ１１によるスライド部１４の往復スライドが作動変換手段５０によって連続する回転作用に変換され、送風ファン６１を連続回転させることで、吸上機構２０、噴霧機構３０による噴出後の霧状の液体を継続的に送風させる。
作動変換手段５０において、押し下げられた押下スイッチ１１によって下方にスライドするスライド部１４は、規制手段５１の噛み合い湾曲溝縁５１Ａに案内されることでケース体１の前方にスライド付勢させられている揺動歯車４１を駆動回転歯車５５に噛み合わせており、この噛み合わせ状態時では、揺動歯車４１は、これ自体の係合孔４６に係合している上下動ピン４５によって揺動されることで駆動回転歯車５５を駆動回転させ、従動回転歯車５６を介して送風ファン６１を回転させる。
そして押し下げ力が解除された押下スイッチ１１は、復原弾撥力による上昇復帰に伴いスライド部１４も原位置に復帰するとき、その復帰揺動中では、規制手段５１では噛み合い湾曲溝縁５１Ａから復帰溝縁５１Ｂを経て自由湾曲溝縁５１Ｃに沿って揺動歯車４１を案内させることで、揺動歯車４１をケース体１の後方にスライド付勢させて駆動回転歯車５５との噛み合いを解除させてフリーとなし、駆動回転歯車５５に対して逆回転作用を付与させない。また駆動回転歯車５５の駆動回転で送風ファン６１を直接に回転させるとき、送風ファン６１に設けられているフライホイール５７をも回転させることで、送風ファン６１に対する回転力の供給がなくてもフライホイール５７の慣性回転作用で送風ファン６１自体の同一方向の回転を継続させる。
スライド部１４の上昇復帰後は、規制手段５１においては揺動歯車４１を自由湾曲溝縁５１Ｃから案内溝縁５１Ｄを経て噛み合い湾曲溝縁５１Ａに再び案内位置決めされることで、ケース体１の前方側へのスライド付勢状態となって揺動歯車４１を駆動回転歯車５５に噛み合わさせ、次動作に備える。
送風ファン６１は、噴霧機構３０における噴霧ノズル３１を軸として回転されることで噴霧ノズル３１先端から噴出される霧状液体を無駄なく効率的に被噴霧付着面に送風させる。
ファン体６５において、支持枠６６のファン角度設定凹辺６７と閉塞枠６８のファン角度設定突辺６９との間で複数の羽根片７２を備えた薄板状の羽根板７１を挟着することで、羽根片７２夫々に対して送風のための所定の角度を設定構成させる。
【０００８】
【発明の実施の形態】
以下、図面を参照して本発明の一実施の形態を説明するに、図に示される符号１は所定の液状の化粧品例えば化粧水等が収容されている液体容器Ｂの容器口に装着されるケース体であり、このケース体１には、液体容器Ｂの容器口に装着させる装着手段５、液体容器Ｂ内の所定の液体を吸い上げる吸上機構２０、吸い上げた液体を細かい霧状にして噴霧する噴霧機構３０、霧状液体を使用者の顔面その他の被噴霧付着面に送風させる送風機構４０、これらの吸上機構２０、噴霧機構３０、送風機構４０等を手動にて操作する操作機構１０が組み込まれている。
【０００９】
ケース体１は例えば円筒体、直方体その他のほぼボックス状に形成されていて、図示のように左右で分割された分割部材を、各機構２０，３０，４０を収納することで合体構成されるようにしてある（図３参照）。またこのケース体１は、液体容器Ｂの容器口に装着支持された状態で液体容器Ｂに対して余り大きく出張ることなく、また液体容器Ｂを適当な机上面に立てて載置したときに重量的なアンバランスによって倒立することがないように可能な限り、内部に収納する各機構２０，３０，４０等と共に小型、軽量となるように構成してある。
【００１０】
装着手段５は液体容器Ｂにおける容器口の形態・形状等に対応して形成されており、図示のように例えば液体容器Ｂの蓋体がネジ止め式であれば、容器口の外周面に形成してある雄ネジにネジ込まれるように内周面に雌ネジを形成してある筒蓋状のものとしてある。この装着手段５による装着構造は容器口の形態・形状等に対応しており、強制的な嵌め合わせ式その他によるものであっても差し支えないものである。そして図示のように、ケース体１の底面に、筒蓋形状とした装着手段５がこの筒蓋上部をケース体１の底部に嵌め込ませられるようにすることでほぼ一体状に連結してある。
【００１１】
またケース体１の上部内には、ケース体１自体の上方から、吸上機構２０、噴霧機構３０、送風機構４０等を手動にて操作するように操作機構１０が設けられている。この操作機構１０は、液体容器Ｂ内に挿入される吸上パイプ２３内部に負圧を生じさせることで液体容器Ｂ内の液体を吸い上げる吸上機構２０の直上に装着手段５を介して配装されていて、上下方向に沿うスライド操作によって、吸上機構２０においては所定の液体を吸い上げ、噴霧機構３０においては噴霧ノズル３１先端から霧状化して噴霧させ、送風機構４０においては噴霧ノズル３１先端周囲でファン体６５を回転させて霧状液体を送風させるのである。
【００１２】
操作機構１０自体は、ケース体１の上部で、ケース体１内外で上下にスライドするようケース体１上方に突出していて、ケース体１内に押し下げられる押下スイッチ１１と、この押下スイッチ１１をケース体１外に突出復帰させる復帰手段１６とを備えている。押下スイッチ１１は、上面が手指による押し下げ操作に適応するよう例えば凹み状に湾曲していて、下縁にケース体１の上側壁内面に係合するストッパー突部１３を有する操作部１２と、復帰手段１６の弾撥付勢作用に抗するように圧接連繋されていると共に、吸上機構２０によって吸い上げられた液体を噴霧機構３０に案内導出させる案内路１５が設けられていて、ケース体１内に配置されているスライド部１４とから成っている。
【００１３】
復帰手段１６は例えばコイルスプリング状に形成されていて、後述する吸上機構２０における吸上パイプ２３内に下端が位置決め規制された状態で挿入配置されており、吸上パイプ２３内でスライドされるようスライド部１４底部で下方に連結した筒状の吸上案内パイプ１７の下端縁に復帰手段１６自体の上縁が圧接している（図４、図５参照）。こうすることで、吸上機構２０の直上に配置されている操作機構１０において、その押下スイッチ１１の操作部１２を押し下げるとスライド部１４、吸上案内パイプ１７を介して復帰手段１６を強制的に縮小させ、操作部１２に対する押し下げ操作を解除するときに拡張して原位置となる復帰手段１６の弾撥作用で押下スイッチ１１を原位置のケース体１上方に突出復帰させるものとしてある。
【００１４】
もとよりこの復帰手段１６自体は図示のようなコイルスプリング状として吸上パイプ２３内に挿入配置せずに、スライド部１４底部と後述するパッキン体２２上面との間に介装するものともでき、またコイルスプリング状とせずに板バネ製としたり、軟弾性材料製のものとしたりすることもできる。
【００１５】
吸上機構２０は液体容器Ｂ内に挿入配置されるようにして前記の装着手段５下方に連結されており、内部においては吸上案内パイプ１７、案内路１５を経て液体容器Ｂ内と噴霧機構３０側とが連通されるようにしている。吸上機構２０自体は、装着手段５に連繋させる連繋部２１と、この連繋部２１を経て噴霧機構３０側から液体容器Ｂの底部上面までに至る吸上パイプ２３と、吸い上げ方向にのみ開放されるよう吸上パイプ２３内に配装された逆止弁２５とを備えて成る。
【００１６】
連繋部２１は、前記の筒蓋状の装着手段５における上側壁に嵌め合わせたパッキン体２２に強制的にでも嵌め合わせることで装着手段５内に配置される筒状の連繋筒と成してあり、この連繋部２１内に吸上パイプ２３を挿入配置し、更にこの吸上パイプ２３内に前記吸上案内パイプ１７を挿入配置してある。パッキン体２２は装着手段５の上側壁に内外に突出された状態で嵌め合わせることにより好ましくは水密状に固着してあり、装着手段５外に突出する部分によってケース体１底部に固定連結するものとし、装着手段５内では連繋部２１を嵌め合わせることで吸上パイプ２３を支持してある。
【００１７】
吸上パイプ２３は例えば連繋部２１側の上部では大径にし、液体容器Ｂの底部側に至る下部では小径となるように適数段例えば３段の段部構造のパイプ状に形成されており、最大径部分で連繋部２１内に挿入して配置固定し、この最大径部分内の上部に吸上案内パイプ１７を、また小径部分との連続部位である段差部２４で係止されるようにすることで吸上案内パイプ１７との間である最大径部分の下部に前記復帰手段１６を夫々配置してある。
【００１８】
また逆止弁２５は例えば吸上案内パイプ１７の下部近傍に位置させて、吸上案内パイプ１７自体の内側面の一部をやや大径に拡開することで形成した弁座室２６内に上下動自在あるいは揺動自在にして挿入される円盤状のものとしてある。こうすることで、吸上案内パイプ１７自体が上下にスライドするときに逆止弁２５が弁座室２６内で上下動することによって弁座室２６の容積にほぼ相当する量の液体を間歇的に液体容器Ｂ内から噴霧機構３０側に吸い上げ供給（ポンプアップ）するのである。
【００１９】
噴霧機構３０は吸上機構２０から吸い上げ供給された液体容器Ｂ内の液体を霧状にしてケース体１前方から噴霧するもので、吸上機構２０の吸上パイプ２３に連通する噴霧ノズル３１をケース体１の前面位置で開口することで構成して成る。すなわち図示例のように、吸上パイプ２３の上部に挿入されている吸上案内パイプ１７を、スライド部１４の底面に開口させてスライド部１４自体に形成してある案内路１５の入口に連結し、スライド部１４の前面側に開口してある案内路１５の出口と噴霧ノズル３１とを可撓性ある連結パイプ３２にて連結したものである。また噴霧ノズル３１は送風機構４０における送風ファン６１の回転支軸をも兼用していて、ケース体１の前側壁に貫挿支持させることで霧状の液体は送風ファン６１前方に噴出されるようにしてある。なお噴霧ノズル３１先端は微細な径で開口してあって吸い上げ供給される液体の噴霧化が効率的に促進されるようにしてある。
【００２０】
噴霧ノズル３１自体は、例えばケース体１の前部に例えば上下部でケース体１の上下側壁夫々に固定されることで内装固定されるノズルステー３３によってケース体１の前後方向に沿うよう、ケース体１の前側壁に貫挿位置決めされた状態で支持されており、ケース体１の前側壁から突出する部位に送風ファン６１が形成装着されている。また連結パイプ３２は、噴霧ノズル３１後端とはノズルステー３３背面位置で、案内路１５前端とはスライド部１４前面位置で夫々連結されており、押下スイッチ１１自体の押し下げ、その原位置への復帰に伴い上下動するスライド部１４と、上下方向には移動しない噴霧ノズル３１との間で自身の可撓性によって液体を円滑に供給案内するようにしている（図４、図５参照）。
【００２１】
一方、送風機構４０は噴霧機構３０において霧状に噴出される液体を例えば使用者の顔面その他に送風して噴霧付着させるもので、操作機構１０における押下スイッチ１１の押し下げによって作動変換手段５０を介して回転されるよう、また噴霧ノズル３１先端近傍に位置してケース体１前面に配置されている送風ファン６１を備えている。すなわちこの送風機構４０は、スライド部１４の往復スライド作用を回転作用に変換する作動変換手段５０と、この作動変換手段５０による回転作用で回転されるよう、ケース体１の前側壁に回転自在に支承されている送風ファン６１と、この送風ファン６１に付設されているフライホイール５７とを備えて成る。そして作動変換手段５０は、押下スイッチ１１の押し下げによって揺動し、自身の軸支位置が前後にスライドするほぼ扇形状の揺動歯車４１と、この揺動歯車４１の下方への揺動時では噛み合わさせ、揺動歯車４１の上方への復帰時では噛み合いを解除させる規制手段５１によって一定方向に回転されるほぼクラウン状の駆動回転歯車５５と、この駆動回転歯車５５に噛み合って従動回転される従動回転歯車５６とから成る。また送風ファン６１自体は噴霧機構３０における回転しない噴霧ノズル３１を軸とすることで回転可能にしてケース体１の前側壁に支承されており、噴霧ノズル３１先端周囲に配装してあるファン（羽根片７２）部分によって、噴霧ノズル３１先端から噴霧される霧状液体の全部をケース体１前方に送り出すようにしてある。
【００２２】
揺動歯車４１は、湾曲している側縁に歯車が形成されていて、側面から見てほぼ扇形状を呈する歯車本体を形成し、この歯車本体の後部に、ケース体１内の後部に設けた揺動軸受部４２にケース体１における前後に沿って長く形成した軸支穴４３に前後にスライド自在にして係合する揺動軸支ピン材４４を突設形成すると共に、同じく歯車本体のほぼ中央部に、操作機構１０における押下スイッチ１１のスライド部１４側面に突設してある上下動ピン４５に係合する係合孔４６を開口形成し、歯車全体の前部に、規制手段５１に係合している規制案内ピン４７を突設して成り、係合孔４６は、歯車本体の後方から前方に至るに伴い側面から見て上方に向けられている。
【００２３】
揺動歯車４１自体は図６に示すように、ケース体１のほぼ中央位置において上下にスライドされるスライド部１４の側方位置で、このスライド部１４に近接させて配置した駆動回転歯車５５の更に側方に位置させて、ケース体１の側壁内側面に近接させることで配置されている。そのためスライド部１４側面の上下動ピン４５に巻回したコイルスプリング製の位置決め部材４８による弾撥力によって揺動歯車４１自体をケース体１側壁の内側面側へ付勢させることで、後述のように揺動歯車４１の駆動回転歯車５５における駆動側の小歯車部５５Ａとの噛み合い、駆動回転歯車５５における従動側のクラウン歯車部５５Ｂの従動回転歯車５６との噛み合い等を円滑なものとするよう配慮してある。
【００２４】
そして規制手段５１は図７、図８に示すように、揺動歯車４１の上下方向に沿う揺動すなわち押下スイッチ１１による下方への移動時には駆動回転歯車５５と噛み合って駆動回転歯車５５自体を回転駆動させ、逆に押下スイッチ１１が原位置に復帰するよう上方への移動時には駆動回転歯車５５との噛み合いを解除させるもので、揺動歯車４１の例えば前部側面に突設した規制案内ピン４７がスライド自在に係合挿入される規制案内溝として溝状に形成することで例えばケース体１の側壁内側面に形成されている。この規制手段（規制案内溝）５１は図示のように、ケース体１の前方側に対して側面から見て突状に湾曲して形成されており、駆動回転歯車５５に噛み合った状態で揺動歯車４１が揺動軸受部４２を支点としてケース体１の前方側に位置して揺動するときの規制案内ピン４７の湾曲した揺動軌跡に沿った噛み合い湾曲溝縁５１Ａと、駆動回転歯車５５とは噛み合いが解除された状態で揺動歯車４１が揺動軸受部４２を支点としてケース体１の後方側に位置して揺動するときの規制案内ピン４７の湾曲した揺動軌跡に沿った自由湾曲溝縁５１Ｃとが区画突条５１Ｅによって前後に区画されていると共に、噛み合い湾曲溝縁５１Ａから自由湾曲溝縁５１Ｃに連続させる復帰溝縁５１Ｂを下端部に、また自由湾曲溝縁５１Ｃから噛み合い湾曲溝縁５１Ａに連続させる案内溝縁５１Ｄを上端部に夫々形成して噛み合い湾曲溝縁５１Ａ、復帰溝縁５１Ｂ、自由湾曲溝縁５１Ｃ、案内溝縁５１Ｄ更に噛み合い湾曲溝縁５１Ａに再び連続するループ状に形成してある。
【００２５】
駆動回転歯車５５は例えばケース体１側壁の内側面に突設形成したピン状の軸支体によって回転自在に支承されており、図示のようにケース体１の側壁側に小歯車部５５Ａを、ケース体１の中心側にクラウン歯車部５５Ｂを夫々配置し、小歯車部５５Ａは揺動歯車４１の辺縁部の歯車部に、クラウン歯車部５５Ｂはケース体１の前部に配置の従動回転歯車５６周縁の歯車部に夫々噛み合っている。
【００２６】
また送風ファン６１は、前記噴霧ノズル３１を軸としてケース体１の前側壁に回転自在に支承されており、図示のように噴霧ノズル３１外に回転自在に、またケース体１の前側壁に開口形成した支承口２内に回転自在にして嵌め合わせることで装着されている。図示にあっての送風ファン６１は、内部に噴霧ノズル３１が挿通された状態で支承口２に嵌め合わせられるよう小径にした軸部６２を形成し、この軸部６２の後部であるケース体１内方側に大径にしたフライホイール取付部６３と、駆動回転歯車５５のクラウン歯車部５５Ｂに噛み合う従動回転歯車５６とを設けると共に、軸部６２の前部であるケース体１外方側に噴霧ノズル３１前端に設けた軸受部６４を介してファン体６５を設けたものである。なお噴霧ノズル３１と送風ファン６１とは、送風ファン６１の中心位置に噴霧ノズル３１が位置される場合に限らず、場合によっては送風ファン６１の中心位置に対して噴霧ノズル３１が偏心位置に設定されることもあり、内部機構の配置・形態等によってそれらは適宜に設定される。
【００２７】
フライホイール取付部６３は、軸部６２の後部に例えば円盤状にして一体状に形成してあって、その円盤の周縁に形成した嵌め合い段部にほぼドーナツ状にしてやや重量的に嵩張るようにした例えば金属製のフライホイール５７を嵌め合わせることで支持するようにしてある。
【００２８】
図示にあってのファン体６５は、前方が開放されていることで形成される開放辺縁に、送風角度に対応して凹状に湾曲される複数のファン角度設定凹辺６７を適宜間隔毎に側面から見て全体としてほぼ波形を呈するように設けて、軸部６２の前部に形成した筒状の支持枠６６と、同じくファン角度設定凹辺６７の形状に対応した突条に湾曲される複数のファン角度設定突辺６９を開放辺縁に設けて、ほぼキャップ状に形成した閉塞枠６８と、これらの支持枠６６のファン角度設定凹辺６７、閉塞枠６８のファン角度設定突辺６９夫々によって挟着される複数の羽根片７２を備え、支持枠６６、閉塞枠６８相互間に固定される薄板状の羽根板７１とを備えて成る。また図中符号７５は、支持枠６６に対して羽根板７１を位置決め固定するために、支持枠６６側の奥底部内側面のほぼ中央位置で設けた複数のピン部と、羽根板７１のほぼ中央位置で設けた複数の孔部とから成る位置決め固定手段である。なお図示例におけるファン体６５は３枚羽根構造のものとしてあるも、これを２枚あるいは４枚以上の羽根構造のものとすることも可能である。
【００２９】
ファン角度設定凹辺６７、ファン角度設定突辺６９夫々における湾曲辺面は、送風させる羽根片７２のファン角度を設定しており、これらの間に平板的な羽根片７２を強制的にでも狭持することで、羽根板７１自体の回転方向と相俟ち羽根片７２を所定の送風方向に対応するよう適宜なファン角度を羽根片７２自体に付与させるようになっている。
【００３０】
また閉塞枠６８自体のほぼ中央部は、前記軸受部６４の外径に対応して開口されていて、噴霧ノズル３１先端に嵌め合わせた軸受部６４に、支持枠６６に組み合わせられる閉塞枠６８が更に嵌め合わせられることで送風ファン６１自体が、その軸部６２がケース体１の支承口２に支承されていることと相俟ち前後でしっかりと保持されて、安定、円滑に回転されるようになっている。
【００３１】
したがって、以上のように構成された送風機構４０の作動変換手段５０において、操作機構１０の押下スイッチ１１が押し下げられ、吸上機構２０内の復帰手段１６を押圧縮小することでスライド部１４をも押し下げられると、スライド部１４側面の上下動ピン４５が軸支穴４３を軸支位置とする揺動歯車４１を下方に揺動させる。このとき上下動ピン４５は揺動歯車４１の係合孔４６に係合しており、揺動歯車４１自体はこれの規制案内ピン４７が規制手段５１の噛み合い湾曲溝縁５１Ａに係合していることによって、ケース体１の前方側にスライド位置していて駆動回転歯車５５の小歯車部５５Ａに噛み合っていることで、揺動歯車４１は駆動回転歯車５５を回転させながら下方に揺動する。この揺動中の揺動歯車４１は、上向きの係合孔４６に係合している上下動ピン４５の下方への押し下げによってケース体１の後方側へスライド付勢されるも、規制案内ピン４７が噛み合い湾曲溝縁５１Ａ部分に係合していることにより、その後方側へのスライド付勢が阻止されているものとなっていることで小歯車部５５Ａとの噛み合いを維持しながら駆動回転歯車５５をフライホイール５７と共に所定方向に回転させる。またこの駆動回転歯車５５の回転は、そのクラウン歯車部５５Ｂに噛み合っている従動回転歯車５６を介して送風ファン６１を回転させる。
【００３２】
そして押下スイッチ１１を充分に押し下げることでスライド部１４側面の上下動ピン４５が規制手段５１における下部の復帰溝縁５１Ｂ位置に至ると、後方側へのスライド傾向に付勢されている揺動歯車４１が後退位置となって駆動回転歯車５５との噛み合いを解除したものとなり、押下スイッチ１１自体が復帰手段１６による弾撥力で原位置への上昇復帰に伴い押し上げられる。すると揺動歯車４１は後退位置のままで、その規制案内ピン４７が規制手段５１の自由湾曲溝縁５１Ｃに沿って案内されて小歯車部５５Ａとの噛み合いを解除した状態となって上部の案内溝縁５１Ｄに至り、上下動ピン４５は作動前の係合孔４６位置で係合したものとなる。この間、駆動回転歯車５５を介しての送風ファン６１に対する直接の回転駆動力が伝達されなくても、フライホイール５７による慣性回転力によって送風ファン６１自体は同一方向に回転している。
【００３３】
次いで原位置に復帰した押下スイッチ１１を再び押し下げると、揺動歯車４１は規制手段５１の噛み合い湾曲溝縁５１Ａによって案内規制されることで、駆動回転歯車５５の小歯車部５５Ａとの噛み合いによって再び駆動回転歯車５５を回転させ、従動回転歯車５６を介して送風ファン６１を勢いよく再度回転させるのである。このように、押下スイッチ１１に対する繰り返しの押し下げによって駆動回転歯車５５を間歇的に回転させ、その回転付与作用の中断時ではフライホイール５７による慣性作用で駆動回転歯車５５の回転を続行させ、送風ファン６１を継続して回転させるのである。
【００３４】
次にこれの使用の一例を説明するに、化粧液、香水等が収容されている所定の液体容器Ｂの容器口に装着手段５によって取付装着しておくのであり、それらの液体を噴霧状に例えば顔面等の所定箇所に付着させるときには、図１に示すように、手指等で持ち上げた状態で操作機構１０の押下スイッチ１１を復帰手段１６による弾撥力に抗して押し下げればよいのである。そうすると、押下スイッチ１１の押し下げ操作は操作機構１０直下に配装してある吸上機構２０の逆止弁２５が開放されることになって液体を吸い上げ（ポンプアップ）、スライド部１４内の案内路１５を経て噴霧機構３０の噴霧ノズル３１に案内供給させる。その一方、押下スイッチ１１の押し下げは送風機構４０の作動変換手段５０における揺動歯車４１を揺動させると共に規制手段５１に案内規制されることで噛み合っている駆動回転歯車５５を回転させ、従動回転歯車５６を介して送風ファン６１を回転させる。
【００３５】
また押し下げた押下スイッチ１１に対する押し下げ力を解除すると、復帰手段１６による弾撥力で原位置に上昇復帰するのに伴い逆止弁２５が閉塞されて吸い上げられている所定量の液体を噴霧機構３０に案内供給して噴霧ノズル３１先端から霧状に噴出させる。このときの押下スイッチ１１の上昇復帰では、規制手段５１において駆動回転歯車５５との噛み合いを解除させて揺動歯車４１をも原位置に復帰させて次動作に備えたものとさせる。また駆動回転歯車５５は押下スイッチ１１の押し下げに伴う従動回転時に回転されるフライホイール５７による慣性回転作用で回転を続行していることで、先に霧状に噴出された液体を所定の被噴霧付着面に送風させるのである。
【００３６】
このように押下スイッチ１１を繰り返し押し下げることで、断続的に霧状に噴出される液体を一方向に連続的に回転される送風ファン６１によって途切れることなく被噴霧付着面に送風供給するのである。
【００３７】
【発明の効果】
本発明は以上のように構成されているために、例えば所定の液状の化粧品等が収容されている液体容器Ｂの容器口に装着しておき、その押下スイッチ１１に対する繰り返しの押し下げ操作のみで適宜に駆動される送風ファン６１の送風作用で液状化粧品等を満遍なく噴霧状に例えば顔面その他の被噴霧付着面にほぼ均一に噴霧付着させることができる。しかも小型軽量に構成でき、また手動式で取扱いも容易であり、例えば保温効果、清涼効果等がある化粧液、薬液等による保湿作用、芳香作用、薬理作用等が得られ、またその送風効果によって気化作用を促進させることで皮膚熱等の速やかな除去、解消をも図れるものである。
【００３８】
すなわちこれは本発明において、所定の液体容器Ｂの容器口に装着され、押下スイッチ１１の押し下げ操作で液体容器Ｂ内の液体を吸い上げ、噴霧ノズル３１先端から液体を霧状に噴出させるものとするとき、押下スイッチ１１の押し下げに連動して従動回転され、上記の霧状の液体を被噴霧付着面に送風する送風ファン６１を備えた送風機構４０を付設してあるからであり、これによって、押下スイッチ１１に対する繰り返しの押し下げ操作による吸い上げ・噴霧更には送風、被噴霧付着面への均一的な供給付着等、付着液体による薬理作用、保湿作用、芳香作用、気化作用等が得られるものである。
【００３９】
また具体的には、吸上機構２０、噴霧機構３０、送風機構４０及びこれらを操作する操作機構１０を、装着手段５によって液体容器Ｂに装着されるケース体１に組み込み、操作機構１０の押下スイッチ１１の押し下げ及びその解除によって吸上機構２０では液体容器Ｂ内の液体を所定量で汲み上げ、噴霧機構３０ではそれを霧状に噴出させ、また送風機構４０では同一方向に連続的に霧状液体を送風させるものとしたから、その取扱いも押下スイッチ１１に対する押し下げ操作のみであるから簡単であり、また液体容器Ｂへの装着も容易である。
【００４０】
送風機構４０における作動変換手段５０は、操作機構１０の押下スイッチ１１の押し下げによって揺動する揺動歯車４１と、この揺動歯車４１の下方への揺動時では噛み合わさせ、揺動歯車４１の上方への復帰時では噛み合いを解除させる規制手段５１によって回転される駆動回転歯車５５と、この駆動回転歯車５５に噛み合って従動回転される従動回転歯車５６とから成るから、押下スイッチ１１を押し下げるときの間歇的な押し下げ作動を揺動歯車４１、駆動回転歯車５５、従動回転歯車５６を介して送風ファン６１を同一方向に間歇的にでも連続して回転させることができる。
【００４１】
しかも規制手段５１は、ケース体１の前方側に対して側面から見て突状に湾曲して形成されていて、ケース体１の前方側に噛み合い湾曲溝縁５１Ａ、後方側に自由湾曲溝縁５１Ｃを区画突条５１Ｅによって区画し、噛み合い湾曲溝縁５１Ａ、自由湾曲溝縁５１Ｃ夫々の下部及び上部は復帰溝縁５１Ｂ、案内溝縁５１Ｄ夫々によって連続させたループ状に形成してあるから、押し下げられた押下スイッチ１１によってスライド部１４が下方にスライドするときの揺動歯車４１は噛み合い湾曲溝縁５１Ａに案内されることでケース体１の前方にスライド付勢させられて、駆動回転歯車５５に噛み合わせられるのである。逆に、スライド部１４も原位置に復帰する復帰揺動中では、揺動歯車４１を噛み合い湾曲溝縁５１Ａから復帰溝縁５１Ｂを経て自由湾曲溝縁５１Ｃに沿って案内させることで、ケース体１の後方にスライド付勢させて駆動回転歯車５５との噛み合いを解除させてフリーとなし、駆動回転歯車５５に対しては逆回転作用を付与させないのである。そのため、駆動回転歯車５５、従動回転歯車５６を介して送風ファン６１を同一方向にのみ間歇的に回転させることができ、しかも駆動回転歯車５５の駆動回転で従動回転歯車５６を介して送風ファン６１を直接に回転させているときには、送風ファン６１に設けられているフライホイール５７をも付勢回転させているから、送風ファン６１に対する回転力の直接の供給がなくてもフライホイール５７の慣性回転作用で送風ファン６１自体の同一方向への回転を継続させることができるのである。
【００４２】
このとき揺動歯車４１自体は、湾曲している側縁に歯車が形成されている側面から見てほぼ扇形状を呈する歯車本体の後部に、ケース体１内の後部に設けた揺動軸受部４２に前後にスライド自在に係合する揺動軸支ピン材４４を突設形成し、同じく歯車本体のほぼ中央部に、スライド部１４に突設してある上下動ピン４５に係合するよう歯車本体の後方から前方に至るに伴い側面から見て上方に向けられている係合孔４６を開口形成し、同じく歯車本体の前部に、規制手段５１に係合する規制案内ピン４７を設けて成るから、スライド部１４の上下動に伴い、下方への移動時では規制手段５１の噛み合い湾曲溝縁５１Ａによって前方にスライドして駆動回転歯車５５に噛み合い、上方への復帰時では自由湾曲溝縁５１Ｃによって後方にスライドして駆動回転歯車５５との噛み合いを解除して駆動回転歯車５５をフリーとなして、その同一方向への付勢回転を担保するよう自由な状態としているのである。
【００４３】
また送風ファン６１は、噴霧機構３０における噴霧ノズル３１を軸として回転されるように構成してあるから、噴霧ノズル３１先端から噴出される霧状液体を噴霧ノズル３１先端で周囲に飛散させることなく、使用者の顔面その他の被噴霧付着面に無駄なく効率的に集中的に送風させることができる。
【００４４】
更にファン体６５は、送風角度に対応してファン角度設定凹辺６７が設けられている筒状の支持枠６６と、ファン角度設定凹辺６７に対応したファン角度設定突辺６９が設けられている閉塞枠６８との間で、複数の羽根片７２を備えた薄板状の羽根板７１を挟着することで構成してあるから、羽根片７２夫々に対して送風のための所定のファン角度を設定構成させて組み合わせることができ、小型軽量な、組立容易なものとすることができる。
【図面の簡単な説明】
【図１】本発明の一実施の形態における使用状態の斜視図である。
【図２】同じく斜視図である。
【図３】同じく分解斜視図である。
【図４】同じく操作機構における押下スイッチの押し下げ操作時の断面図である。
【図５】同じく操作機構における押下スイッチの復帰押し上げ時の断面図である。
【図６】同じく横断面図である。
【図７】同じく送風機構においての駆動回転時の要部側断面図である。
【図８】同じく送風機構においての慣性回転時の要部側断面図である。
【符号の説明】
Ｂ…液体容器
１…ケース体                        ２…支承口
５…装着手段
１０…操作機構                      １１…押下スイッチ
１２…操作部                        １３…ストッパー突部
１４…スライド部                    １５…案内路
１６…復帰手段                      １７…吸上案内パイプ
２０…吸上機構                      ２１…連繋部２１
２２…パッキン体                    ２３…吸上パイプ
２４…段差部                        ２５…逆止弁
２６…弁座室
３０…噴霧機構                      ３１…噴霧ノズル
３２…連結パイプ                    ３３…ノズルステー
４０…送風機構                      ４１…揺動歯車
４２…揺動軸受部                    ４３…軸支穴４
４４…揺動軸支ピン材                ４５…上下動ピン
４６…係合孔                        ４７…規制案内ピン
４８…位置決め部材                  ５０…作動変換手段
５１…規制手段                      ５１Ａ…噛み合い湾曲溝縁
５１Ｂ…復帰溝縁                    ５１Ｃ…自由湾曲溝縁
５１Ｄ…案内溝縁                    ５１Ｅ…区画突条
５５…駆動回転歯車                  ５５Ａ…小歯車部
５５Ｂ…クラウン歯車部              ５６…従動回転歯車
５７…フライホイール
６１…送風ファン                    ６２…軸部
６３…フライホイール取付部          ６４…軸受部
６５…ファン体                      ６６…支持枠
６７…ファン角度設定凹辺            ６８…閉塞枠
６９…ファン角度設定突辺            ７１…羽根板
７２…羽根片                        ７５…位置決め固定手段
【図１】
0003553015.tif 000002
【図２】
0003553015.tif 000003
【図３】
0003553015.tif 000004
【図４】
0003553015.tif 000005
【図５】
0003553015.tif 000006
【図６】
0003553015.tif 000007
【図７】
0003553015.tif 000008
【図８】
0003553015.tif 000009